(57)【特許請求の範囲】
【請求項１】
円形形状の遊技領域を有する遊技機本体と、該遊技機本体に片開き可能に取り付けられる前扉とを備え、該前扉には、前記遊技領域の前方を覆う透明板ユニットが取り付けられている弾球遊技機において、
前記透明板ユニットは、
それぞれ角形に形成された外側および内側の２枚の透明板と、
前記遊技領域に対応する円形形状の開口を有し、前記外側透明板および前記内側透明板の間に挟まれて、前記２枚の透明板を挿脱可能に保持する矩形板状のスペーサと、
前記２枚の透明板を、それぞれ、前記スペーサに対して固定／固定解除させる一対の固定部とを備え、
前記透明板ユニットおよび前記前扉には、それぞれ、前記透明板ユニットを前記前扉に係脱可能に係止するための係止構造が設けられており、
前記スペーサの後面に対向する領域に、前記スペーサに固定される前記内側透明板を収容するための内側透明板収容空間が形成され、その内側透明板収容空間に該後面に沿って前記内側透明板を挿脱することが可能になっており、
前記一対の固定部のうち、前記内側透明板を固定／固定解除させる一方の前記固定部が、前記内側透明板収容空間に収容された前記内側透明板の後面に当接可能に設けられた押さえ部を有し、該押さえ部を、前記スペーサの前記後面よりも後方に位置して、前記内側透明板収容空間に挿脱される前記内側透明板に干渉しない退避位置と、前記スペーサの前記後面に挿入された前記内側透明板の後面と当接して、前記内側透明板を前記スペーサに向けて弾性的に押さえ付ける固定位置との間で変位可能な押さえ部材を含み、
前記固定位置にある前記押さえ部による押さえ付けにより、前記内側透明板が前記スペーサに固定されていることを特徴とする弾球遊技機。
【請求項２】
前記押さえ部がゴム部材であることを特徴とする請求項１記載の弾球遊技機。
【発明の詳細な説明】
【０００１】
【従来の技術】
弾球遊技機の代表例であるパチンコ機は、たとえば外枠に片開き可能に取り付けられる前扉枠に正面形状が矩形形状の遊技盤が装着されるようになっている。この遊技盤には、ガードレールによって円形形状の遊技領域が区画されている。通常、前扉枠には遊技盤の前方に矩形形状の窓部が形成されている。この窓部に四角枠状のガラス扉が片開き可能に取り付けられており、このガラス扉には、４０５ｍｍ×４０５ｍｍのサイズの正方形状のガラス板が２枚所定間隔を介した状態で取り付けられている。そして、ガラス扉および前扉枠が閉じられた状態では、遊技者がこの２枚のガラス板を介して遊技盤の円形形状の遊技領域を視認することができるようになっている（たとえば、実公平６−３０２２４号、特開平１０−３１４４１１号公報参照）。
【０００２】
一方、最近では、遊技盤を保持する部材の前面側に、遊技盤の前方領域をほぼ全て覆うことができる前扉をこの部材に対して片開き可能に取り付け、遊技領域前方に円形形状の窓部を形成したタイプのパチンコ機が提案されている。このタイプのパチンコ機においては、円形形状の窓部のサイズが遊技領域とほぼ同じ大きさに設定されており、このため、従来は正面側から視認されていた遊技盤の四隅を前扉で覆い、この箇所に対応する前扉上の位置に飾りランプ等の装飾部材が配置可能となっている。これにより、パチンコ機の前面が遊技領域だけが露出したすっきりとしたデザインとなり、遊技者に新鮮味を与えることができる。
【０００３】
このタイプのパチンコ機においては、ガラス板として円形形状に裁断されたものが用いられている。具体的には、各ガラス板をそれぞれ異なる環状枠に嵌め込むとともに、この環状枠同士を接合した後、前扉の後方にねじ締結によって固定している。
【０００４】
【発明が解決しようとする課題】
しかし、円形形状に裁断された透明板は、その裁断行程にコストがかかるために非常に高価であり、このような高価な円形形状のガラス板を用いたのではパチンコ機全体としてコストアップしていまう。また、２枚の円形形状ガラス板を前扉に組み付けるためには、上述のような複雑な構成の２つの環状枠を用いる必要があり、その組み付け作業が困難となってしまう。
【０００５】
そこで、この発明の目的は、安価な透明板で前扉の任意形状の窓部を覆い、これにより、コストダウンを図ることができる弾球遊技機を提供することである。
また、この発明の他の目的は、前扉への２枚の透明板の組み付けが簡単な弾球遊技機を提供することである。
【０００６】
【課題を解決するための手段および発明の効果】
前記の目的を達成するための請求項１記載の発明は、円形形状の遊技領域を有する遊技機本体と、該遊技機本体に片開き可能に取り付けられる前扉とを備え、該前扉には、前記遊技領域の前方を覆う透明板ユニットが取り付けられている弾球遊技機において、前記透明板ユニットは、それぞれ角形に形成された外側および内側の２枚の透明板と、前記遊技領域に対応する円形形状の開口を有し、前記外側透明板および前記内側透明板の間に挟まれて、前記２枚の透明板を挿脱可能に保持する矩形板状のスペーサと、前記２枚の透明板を、それぞれ、前記スペーサに対して固定／固定解除させる一対の固定部とを備え、前記透明板ユニットおよび前記前扉には、それぞれ、前記透明板ユニットを前記前扉に係脱可能に係止するための係止構造が設けられており、前記スペーサの後面に対向する領域に、前記スペーサに固定される前記内側透明板を収容するための内側透明板収容空間が形成され、その内側透明板収容空間に該後面に沿って前記内側透明板を挿脱することが可能になっており、前記一対の固定部のうち、前記内側透明板を固定／固定解除させる一方の前記固定部が、前記内側透明板収容空間に収容された前記内側透明板の後面に当接可能に設けられた押さえ部を有し、該押さえ部を、前記スペーサの前記後面よりも後方に位置して、前記内側透明板収容空間に挿脱される前記内側透明板に干渉しない退避位置と、前記スペーサの前記後面に挿入された前記内側透明板の前記後面と当接して、前記内側透明板を前記スペーサに向けて弾性的に押さえ付ける固定位置との間で変位可能な押さえ部材を含み、前記固定位置にある前記押さえ部による押さえ付けにより、前記内側透明板が前記スペーサに固定されていることを特徴とする弾球遊技機である。
【０００７】
請求項１記載の発明の構成によれば、前扉の後面側に、それぞれ、角形に形成された外側透明板および内側透明板が積層保持された透明板ユニットが組み付けられている。２枚の透明板を積層保持するために、各透明板と前扉の窓部の形状とを異なる形状としてもよく、このため透明板として任意の形状のものを用いることができる。透明板の着脱作業を簡易に行えるとともに、透明板を前扉に取り付ける構成を部品点数が少なくかつ簡単な構成のものにできる。また、取付け後は２枚の透明板が前扉の後面に配置するようになるので、前方から不正に透明板が取り外されるおそれもない。
【０００８】
角形の透明板には、正方形状、長方形状が含まれる。この場合には、たとえば窓部が円形形状のものである場合に、その窓部に対応する円形形状の透明板を用いなくても、比較的安価な正方形状または長方形状の透明板を用いることが可能である。これにより、高価な円形形状の透明板を用いていた従来の方式と比較してコストダウンを図ることができる。
【０００９】
さらに、スペーサは板状のものである。２枚の透明板は前扉の後方に取り付けられるので、たとえば円形形状の窓部に角形の透明板を用いるときには、前扉によって透明板の隅部分は覆われるようになる。この場合に、透明板の隅部をスペーサで支持することも可能であり、これにより、２枚の透明板を透明板保持部材によってしっかり保持することができる。
【００１０】
なお、透明板とは、ガラス板、樹脂板等を含む趣旨である。
請求項２記載の弾球遊技機は、請求項１記載の弾球遊技機において、前記押さえ部がゴム部材であることを特徴とする請求項１記載の弾球遊技機である。
【００１１】
請求項２記載の発明の構成によれば、押さえ部がゴム部材であるので、内側透明板を傷つけることなく、確実に押さえ付けることができる。
【００１６】
【発明の実施の形態】
以下では、この発明の実施の形態に係るパチンコ機を、添付図面を参照して詳細に説明する。この発明の一実施形態として、パチンコ機について説明するが、この発明は、パチンコ機の他、アレンジボール機その他の弾球遊技機にも適用できるものである。
図１はパチンコ機１の正面図である。このパチンコ機１は、遊技島２００（図４参照）内に設置される外枠１０（図２参照）と、外枠１０に取り付けられた本体ベース２０（図２参照）と、本体べース２０の前面を覆うように外枠１０に取り付けられた上部扉（前扉）３０および下部扉４０とを備えている。
【００１７】
上部扉３０および下部扉４０は、たとえば樹脂製のものであり、正面形状がそれぞれ矩形形状のものである。上部扉３０は、外枠１０の左辺に相当する枠辺１１Ａに沿う軸線まわりに回動自在に取り付けられており、図１に示すように外枠１０および本体ベース２０の前面２０Ａを覆う状態と、本体ベース２０の手前側に開いた状態とに開閉可能になっている。下部扉４０も、外枠１０の左辺に相当する枠辺１１Ａに沿う軸線まわりに回動自在に取り付けられており、図１に示すように外枠１０および本体ベース２０の前面２０Ａを覆う状態と、本体ベース２０の手前側に開いた状態とに開閉可能になっている。
【００１８】
上部扉３０には、中央部に大きな円形形状の窓部３１が形成されている。上部扉３０の前面３０Ａのうち窓部３１が形成されていない領域には、複数のランプ３２〜３５が配設されている。具体的には、これらのランプとして、たとえばパチンコ球が遊技盤２２上の入賞口（図示しない）に入球したことを報知するための報知ランプ（装飾部材）３２、後述する上部タンク１３４にパチンコ球がないことを報知するための玉切れ報知ランプ（装飾部材）３３、遊技の雰囲気を盛り上げるための遊技ランプ（装飾部材）３４、および、遊技状態が遊技者に有利な特別遊技になったことを報知するための大当たりランプ（装飾部材）３５が備えられている。大当りランプ３５は、たとえば６つのＬＥＤ３５Ａを備えたものである。
【００１９】
下部扉４０の前面４０Ａには、上受け皿４３が配置されており、その下方には下受け皿４４が配置されている。下部扉４０には、後述する賞品球払出装置１４３から各受け皿４３，４４に払い出される賞品球が通過する上受け皿排出口４５および下受け皿排出口４６が形成されている。下部扉４０の下方右側には、遊技の際にパチンコ球を発射するための操作ハンドル４５が設けられている。
図２は上部扉および下部扉を手前側に開いた状態を示す斜視図である。本体ベース２０は、外枠１０の左辺に相当する枠辺１１Ａに沿う軸線まわりに回動自在に取り付けられており、外枠１０の手前側に開いた状態と外枠１０内に収容される状態とに開閉可能になっている。
【００２０】
本体ベース２０の前面２０Ａには、遊技盤２２を収容するための収容凹部２１が形成されており、その収容凹部２１の側端部（図２で示す左奥側）には、遊技盤２２を収容するための長手枠の保持部２７が回動自在に取り付けられている。遊技盤２２を本体ベース２０の前面２０Ａ側から保持部２７に挿入した後、収容凹部２１に押し入れることによって、本体ベース２０に対する遊技盤２２の装着が行え、遊技盤２２を手前側に引き出した後、保持部２７から遊技盤２２を抜き取ることによって本体ベース２０からの遊技盤２２の取外しが行えるようになっている。
【００２１】
遊技盤２２を装着し本体ベース２０を閉じるとともに、上部扉３０を閉じた状態では、窓部３１の後方に遊技盤２２の遊技領域が位置するようにされている。上部扉３０の後面３０Ｂには、正方形状（４０５ｍｍ×４０５ｍｍ）の外ガラス板（外側透明板）５１（図３参照）および内ガラス板（内側透明板）５２を含むガラスユニットＧが窓部３１を覆うように組み付けられている。このため、上部扉３０を閉じた状態では、窓部３１、ガラス板５１，５２、ならびに、ガラスユニットＧのガラス板保持部材７６に形成された後述する開口９８，９９（図５参照）を介して、前方側から遊技盤２２の遊技領域が視認できるようになっている。
【００２２】
言い換えれば、この実施形態に係るパチンコ機１は遊技盤２２の空きスペースが視認されず、遊技領域だけを視認できるすっきりとしたデザインとなっているから、遊技者に新鮮さを与えることができる。そして、上部扉３０には遊技盤２２の空きスペースの前方領域に遊技者から視認できる新たなスペースが形成されることとなり、この実施形態ではこのスペースに上述のように複数のランプ３２〜３５を配設している。
【００２３】
図３は、この発明の一実施形態に係るパチンコ機の後面側から見た分解斜視図である。
まず、外枠１０について具体的に説明する。外枠１０は、略長方形の四辺をなすように配置された上枠片１１、下枠片１２、左枠片１３および右枠片１４の４つの枠片と、下枠片１２の上方に、下枠片１２と平行に架け渡される載置片１２Ａとを枠組みしたものである。
【００２４】
左右の枠片１３，１４は、遊技島２００内に収容できる程度の幅を有しており、その上方部は後ろ端面側が切り欠かれている。左枠片１３および右枠片１４には、ランプ３２〜３５等を制御するための制御基板２Ａ等を収容した基板ボックス２がそれぞれ２つずつ配設されている。後述するように、本体ベース２０は閉じた状態で外枠１０の前側半分に収容されるようになっており、このため、基板ボックス２は本体ベース２０の後面２０Ｂが基板ボックス２に当たらないように、左右の枠片１３，１４の後方寄りに配置されている。
【００２５】
上枠片１１は、その後ろ端面が左右の枠片１３、１４の後ろ端面とほぼ面一とされていて、左端（図３で示す右側）によりやや真ん中寄りでは後ろ端面から突片１５が突出している。この突片１５の下面には、本体ベース２０を支持するための第１連結金具１６が固定されている。また、上枠片１１の前側の端面には、その左端部（図３で示す右側）に上部扉３０を支持するための第２連結金具１８が配設されている。この第２連結金具１８には小孔１８ａが形成されている。
【００２６】
載置片１２Ａは、外枠１０内に収容される本体ベース２０の下面を受け止めるためのものであり、その上面には第３連結金具１７が固定されている。第３連結金具１７は、本体ベース２０を取り付けるための突起（回動支点）１７Ａを有している。この第３連結金具１７が載置片１２Ａに固定された状態で、突起１７Ａは載置片１２Ａの幅方向の中央部に位置している。載置片１２Ａの前側の端面には、その左端部（図３で示す右側）に、第４連結金具１９が配設されている。この第４連結金具１９には小孔１９ａが形成されている。
【００２７】
一方、本体ベース２０は、その幅が外枠１０の奥行きのほぼ半分の寸法に設定されている。外枠１０の前側半分に本体ベース２０が収容されるようになっている。この本体ベース２０の後面２０Ｂ側には、図３に示すように裏機構盤１３１が取り付けられている。
次に、本体ベース２０および上部扉３０の外枠１０への取付構造について説明する。
【００２８】
本体ベース２０の上端面２０Ｃの左側端部（図３で示す右側）には第５連結金具２４が固定されている。この第５連結金具２４は、重ね合わされた２枚の平板を回動支点２３で軸支したものであり、上側の平板には前後方向に延びた長孔２４ａが形成されている。本体ベース２０の下端面２０Ｄにはその前後方向の中央部に小孔２６が形成されている。第５連結金具２４が長孔２４ａを介して外枠１０の第１連結金具１６に固定されるとともに、小孔２６は外枠１０の下枠片１２の上面に形成された突起１７ａに嵌められている。これにより、本体ベース２０が回動支点２３および突起１７ａを中心として回動可能となっている。
【００２９】
次に、上部扉３０の外枠１０への取付構造について説明する。
下部扉４０の下左端部（図３で示す右側）には、前方側へと突出する第６連結金具４２が固定されている。この第６連結金具４２には小孔４２ａが形成されている。また、下部扉４０の上左端部（図３で示す右側）には、前方側へと突出する第７連結金具４９が固定されている。この第７連結金具４９には小孔４９ａが形成されている。
【００３０】
一方、上部扉３０の上左端部（図３で示す右側）には、前方側へと突出する第８連結金具４１が固定されている。この第８連結金具４１には小孔４１ａが形成されている。また、上部扉３０の下左端部（図３で示す右側）には、前方側へと突出する第９連結金具３９が固定されている。この第９連結金具３９には小孔３９ａが形成されている。
下部扉４０の小孔４２を介して軸５０が下方から小孔１９ａに挿通され、下部扉４０が外枠１０に取り付けられるようになっている。また、この下部扉４０の外枠１０への取付けと同時に、上部扉３０の外枠１０への取付が行なわれる。すなわち、第７連結金具４９の小孔４１ａを介して第２連結金具１８の小孔１８ａに軸４８が挿入されるとともに、第９連結金具３９の小孔を介して第７連結金具４９の小孔４９ａに軸４７が挿入される。これにより、上部扉３０が外枠１０および下部扉４０に取り付けられた状態では、上部扉３０は軸４８，４７を回動支点として回動可能になっており、右側を手前側に開くことができる。
【００３１】
ところで、図４に示すように、本体ベース２０の回動支点２３および回動支点として機能する突起１７ａの前後方向の位置は、閉じられた本体ベース２０の前面２０Ａが外枠１０の前端面１０Ａよりも後方に退避するように、外枠１０の幅方向の中央部に設定されている。これに対し、上部扉３０の回動支点４８，４７は外枠１０の前端面１０Ａにほぼ沿って位置している。つまり、上部扉３０は、外枠１０に本体べース２０の回動支点２３，１９とは側面視で同鉛直線上にない別の回動支点４８，４７を中心として回動可能にされている。
【００３２】
したがって、パチンコ機１の使用状態である上部扉３０および下部扉４０を閉じた状態では、外枠１０の前方は上部扉３０や下部扉４０しか存在せず、本体ベース２０が閉じられた状態で上部扉３０および下部扉４０に加え外枠１０の前方に本体ベース２０の一部が突出する従来の方式と比較してその外観をよりすっきりとしたものとすることができる。また、外枠１０の前方に上部扉３０および下部扉４０しか存在しないので、同じ幅の外枠１０を用いたときに、パチンコ機１全体の厚みをやや薄くすることができる。このようにパチンコ機１の厚みが薄くされるので図４に示すように、上部扉３０が遊技島２００から前方に突出しないようにすることもできる。これにより、その外観をよりすっきりとしたものとすることができる。
【００３３】
また、上部扉３０、本体ベース２０ではなく、外枠１０に直接取り付けられている。このため、ガラス板５１，５２が取り付けられた上部扉３０の重量が本体ベース２０に加わらず、比較的軽い力で本体ベース２０の外枠１０側への引き出し／押入れが行える。
さらにまた、本体ベース２０を外枠１０に取り付けるための連結金具１６，１７，２４と、上部扉３０を外枠１０取り付けるための連結金具１８，４１とを別個の連結金具としているので、本体ベース２０ならびに上部扉３０および下部扉４０を共通の連結金具で支持する場合と比較して、各連結金具１６，１７，１８，２４，４１で受ける荷重が小さく、各連結金具１６，１７，１８，２４，４１の寿命を延ばすことが可能である。さらに、各連結金具１６，１７，１８，２４，４１で受ける荷重が小さいので、簡単な構成の連結金具１６，１７，１８，２４，４１を用いてもその強度が十分に足りる。
【００３４】
次に、上部扉３０の後面に組み付けられるガラスユニットＧについて説明する。図５はガラスユニットＧの分解斜視図である。ガラスユニットＧは、スペーサ７１と前面板７２とからなるガラス板保持部材７６に、外ガラス板５１および内ガラス板５２を所定間隔を空けて積層保持させたものである。
前面板７２は略正方形状のものである。前面板７２は、板状の板金を加工して形成したものであり、後方に折り曲げた折曲げ片７４がその全周にわたって設けられている。前面板７２の中央領域には、上部扉３０の窓部３１と対応する円形形状の開口９９が形成されている。
【００３５】
前面板７２には、開口９９の周囲に、上部扉３０の後述するフック３６１，３６２，３７１，３７２，３８１，３９１と係合する受け部７７〜７９が設けられている。各受け部７７〜７９は、前面板７２の板金の一部を前方側に切り出して形成されたものである。
前面板７２の右端辺（図５で示す左側）は２つの突片８１が上下方向に間隔を開けて配設されている。前面板７２の左端辺（図５で示す右側）にも、２つの突片８１が上下方向に間隔を開けて配設されている。各突片８１は、折曲げ片７４の先端部から外方に向けて折り曲げられて形成されたものである。各突片８１にはねじ孔８１１が形成されており、このねじ孔８１１に後方からねじ止めできるようになっている。
【００３６】
前面板７２の上端辺には上方に突出した２つの突片８３が設けられている。前面板７２の下端辺には下方に突出した２つの突片８４が設けられている。これらの突片８３，８４は、前面板７２の板金を折曲げ片７４の先端部から外方に向けて折り曲げたものであり、その略中央部にねじ挿通孔８３１，８４１が形成されている。
スペーサ７１は、外形形状が略正方形となる樹脂製の板状部材であり、その中央領域には上部扉３０の窓部３１と対応する円形形状の開口９８が形成されている。スペーサ７１は、格子状に組み合わされたリブ８５によって構成されており、このため、外ガラス板５１と内ガラス板５２との間隔を所定間隔に保ちつつ、スペーサ７１の重量を低減できる。
【００３７】
スペーサ７１の前面側には、右側端辺（図５で示す左側）および左側端辺（図５で示す右側）に沿って、外ガラス板５１を収容するための外ガラス板収容空間を区画する突条７８，７９が配設されている。突条７８，７９は、スペーサ７１よりも前方に突出するものであり、図示しないがスペーサ７１の上端部から下端部まで延びている。
スペーサ７１の後面側には、右側端辺（図５で示す左側）および左側端辺（図５で示す右側）に沿って、内ガラス板５２を収容するための内ガラス板収容空間を区画するガイド８７，８８が配設されている。ガイド８７，８８は、スペーサ７１よりも後方に突出するものであり、スペーサ７１の上端部から下端部まで延びている。このガイド８７，８８間に内ガラス板５２が上方から挿入することができるようになっており、ガイド８７，８８はこの挿入時に正方形状の内ガラス板５２の右端辺５２ａ（図５で示す左側）および左端辺５２ｂ（図５で示す右側）を受け止める。スペーサ７１の下端辺７１ｃには、その左端部から右端部にわたって、内ガラス板５２が内ガラス板収容空間に挿入された内ガラス板５２の下端辺（下端縁）５２ｃを受け止めるための受止め突条（受止め突起）８６が後方に突出している。各ガイド８７，８８の後面８７Ｂ，８８Ｂには、その上部および下部にそれぞれ、内ガラス板収容空間に収容された内ガラス板５２をスペーサ７１側に押し付けるための押付け用金具１００が配置されている。なお、内ガラス板５２の一端辺に対応して押付け用金具１００を２つ設ける構成としているが、１つであってもよいし、３つ以上であってもよい。
【００３８】
スペーサ７１の左側端面（図５で示す右側）には、２つの突起８９が形成されており、また、図５では図示しないが、これと同様の２つの突起８９がスペーサ７１の右側端面（図５で示す左側）にも形成されている。この突起８９には、ねじ挿通孔８９１が形成されている。
スペーサ７１の前面７１Ａ側に形成された外ガラス板収容空間に外ガラス板５１が嵌め込んだ後、その前面７１Ａ側を前面板７２で覆い、ねじ９１をねじ挿通孔８９１を通してねじ孔８１１にねじ締結する。この状態で外ガラス板５１はスペーサ７１と前面板７２とで挟まれ、これにより、外ガラス板５１が外ガラス板収容空間内に確実に保持される。
【００３９】
スペーサ７１は板状のものであるので、外ガラス板５１の隅部がスペーサ７１および前面板で支持でき、これにより外ガラス板５１がガラス板保持部材７６によってしっかり保持されることとなる。
なお、スペーサ７１に形成される開口９８および前面板７２に形成される開口９９は、上部扉３０の窓部３１と同じ円形形状とし、そのサイズもそれぞれ窓部３１と同程度のものが望ましいが、本体ベース２０および上部扉３０を閉じた状態で上部扉３０の窓部３１を阻害しないサイズであれば、その形状は、円形形状に限られず、矩形形状、楕円形形状であってもよい。
【００４０】
次に、各ガイド８７，８８の後面８７Ｂ，８８Ｂに配設される押付け用金具１００について詳細に説明する。各押付け用金具１００は同一の構成のものである。図６は、押付け用金具１００の構造を示す斜視図である。図６では、４つの押付け用金具１００のうち左上部の押付け用金具１００を例にとって説明している。
押付け用金具１００は、略コ字状のベース部１０１を備えている。具体的には、ベース部１０１は、ガイド８７の後面８７Ｂに取り付けられる底面板１０２と底面板１０２の両端辺から立ち上がった一対の側面板１０３，１０４とを備えている。側面板１０３，１０４の上端部間には、軸１０５が架け渡されており、この軸１０５の周囲にねじりコイルばね１０６が回動自在に挿嵌されている。ねじりコイルばね１０６の一端部１０６ａには、円柱形状の押さえローラ（押さえ部）１０７が取り付けられており、ねじりコイルばね１０６の他端部１０６ｂには長手のレバー（操作部材）１０８が取り付けられている。レバー１０８の左端部には、係合突片（係合部）１０９が形成されておりねじりコイルばね１０６の中立状態ではねじりコイルばね１０６の両端部１０６ａ，１０６ｂがずれている。押さえローラ１０７およびレバー１０８はねじりコイルばね１０６に取り付けられており、押さえローラ１０７はレバー１０８の操作に応じて変位するようになっている。
【００４１】
側面板１０３（図６で示す右側）には係合孔（係合部）１１０が形成されており、レバー１０８を前面側へ押し倒した状態で、係合突片１０９を係合孔１１０に嵌め入れることができるようになっている。
レバー１０８を前方側に押し倒すと、押さえローラ１０７が前方へと変位し、内ガラス板５２の後面と当接するようになる。その後、レバー１０８をねじりコイルばね１０６の抗力に反して、さらに前方側に押し倒した後、係合突片１０９を係合孔１１０に嵌め入れる。係合突片１０９を係合孔１１０に嵌め込んだ状態では押さえローラ１０７が内ガラス板５２を前方側に押し付けることとなる。
【００４２】
また、再度レバー１０８を前方側へと軽く押し付けた後、レバー１０８を右側へと引き抜くと、係合突片１０９と係合孔１１０との係合を解除されて、内ガラス板５２の固定が解除される。たとえば内ガラス板５２が破損したときには、４つの押付け用金具１００を順次に操作して、内ガラス板５２の押付けを解除した後、内ガラス板５２を上方に引き抜くことが可能である。
このように簡単に内ガラス板５２の固定／固定解除を行えるので、内ガラス板５２が破損したときには、遊技店で内ガラス板５２だけを取り替えることも可能である。ガラス板保持部材７６は上部扉３０から取り外して、他のガラス板保持部材と交換することもできるし、上部扉３０から取り外したガラス板保持部材７６のねじ９１を外して外ガラス板５１だけを交換することもできる。
【００４３】
また、押付け用金具１００の押さえローラ１０７がゴム部材であるので、内ガラス板５２を傷つけることなく、確実に押さえ付けることができる。さらに、押さえローラ１０７が円柱形状を有しているので、確実な押え付けが可能である。なお、押付け用金具１００には押さえローラ１０７を１つ配置することとしたが、各押付け用金具１００に２つ以上の押さえローラ１０７が配設されていてもよい。
【００４４】
また、内ガラス板５２をスペーサ７１側に押し付ける押付け用金具１００をスペーサ７１自体に配設することとしているが、この押付け用金具１００を上部扉３０や、前面板７２に配設することとしてもよい。
図７は、ガラスユニットＧを上部扉３０の後面３０Ｂに組み付ける様子を説明するための図である。
上部扉３０の後面３０Ｂには、円形形状の窓部３１の周縁部に、ガラスユニットＧの組付けのための４つの取付け板３６〜３９が固定されている。この取付け板３６〜３９は上部扉３０の四隅寄りに配置されており、４つの取付け板３６〜３９のうち上側の２つの取付け板３６，３７には、それぞれ上方に向かって延びる２つのフック３６１，３６２，３７１，３７２が設けられている。また、下側の２つの取付け板３８，３９には、それぞれ、上方に向かって延びる１つのフック３８１，３９１が設けられている。フック３６１，３６２，３７１，３７２，３８１，３９１は、各取付け板３６〜３９の一部を後方側に切り出した後に、上方へと折り曲げて形成したものである。
【００４５】
上部扉３０の後面３０Ｂには、窓部３１の上方部に、２つの突起６１が形成されている。この２つの突起６１は、それぞれ、上部扉３０の左端部および右端部寄りに設けられている。窓部３１の下方部には、２つの突起６２が形成されている。この２つの突起６２も、それぞれ、上部扉３０の左端部および右端部寄りに設けられている。各突起６１，６２にはねじ止め孔６１１，６２１が形成されており、後方からねじをねじ止めすることができるようになっている。
【００４６】
窓部３１の左側方および右側方には、ガラスユニットＧの組付け時にガラスユニットＧの左側縁および右側縁を受け止めて、ガラスユニットＧの左右方向の位置決めを行う一対のガイド部材３１１，３１２が形成されている。各ガイド部材３１１，３１２は鉛直方向に延びている。
上部扉３０には、窓部３１の上方に、その前後面３０Ａ，３０Ｂを貫通する小孔６５が形成されている。上部扉３０のランプ３５からの配線ケーブル（配線）６６がこの小孔６５を通して後面３０Ｂ側に引き出されている。上部扉３０の左上隅部および右端部寄りには、それぞれ前後面３０Ａ，３０Ｂを貫通する小孔６７，６８が形成されており、各小孔６７，６８からは、ランプ３２〜３４につながった電気配線６９，７０が後面３０Ｂ側に引き出されている。
【００４７】
ガラスユニットＧの上部扉３０への装着は以下のようにして行う。すなわち、まず一体化されたガラスユニットＧの左右両側端辺を一対のガイド３１１，３１２の内側側面３１１ａ，３１２ａにあてがって、ガラスユニットＧの左右方向の位置決めを行った後、上部扉３０の後面３０Ｂの６つのフック３６１，３６２，３７１，３７２，３８１，３９１に、前面板７２の前面７２Ａの受け部７７〜７９を引っ掛ける。このガラスユニットＧのフック３６１，３６２，３７１，３７２，３８１，３９１への引っ掛けにより、ガラスユニットＧが上部扉３０への仮止めが達成される。上部扉３０に取り付けられた取付け板３６〜３９の取付け位置は、この仮止め状態で突起６１，６２のねじ孔６１１，６２１が前面板７２の突片８３，８４に形成されたねじ挿通孔８３１，８４１と対向する（位置が合う）ように設定されている。ガラスユニットＧの仮止め後、スペーサ７１の後方から、ねじ挿通孔８３１，８４１を介してねじをねじ孔６１１，６２１に締結し、これによってガラスユニットＧの上部扉３０の後面３０Ｂへの装着が達成される。このように、ガラスユニットＧの仮止め状態でねじ締結を行うので、ねじ挿通孔８９１とねじ孔８１１との位置合わせが行え、ねじ止め作業を容易に行える。
【００４８】
このガラスユニットＧの組付け状態では、６つのフック３６１，３６２，３７１，３７２，３８１，３９１および４箇所の突片８３，８４で、ガラスユニットＧの重量が受けられる。このため、フック３６１，３６２，３７１，３７２，３８１，３９１でガラス板保持部材７６を支持するので、ねじ止め点数を４箇所としてもガラスユニットＧを確実に固定できる。
なお、上述の説明では、外ガラス板５１および内ガラス板５２の双方装着したガラス板保持部材７６を上部扉３０に組み付けるものとして説明したが、外ガラス板５１だけを装着したガラスユニットＧを上部扉３０に組み付け、その後ガラスユニットＧに内ガラス板５２を装着するものであってもよいのはもちろんのことである。
【００４９】
図８は、パチンコ機１の後面構造を簡略化して示す斜視図である。
本体ベース２０の後面２０Ｂ側には、ランプ３２〜３４から延び出した電気配線６９，７０およびランプ３５から延び出した配線ケーブル６６が布線されている。本体ベース２０の後面２０Ｂの左下には（図８で示す右下）の位置には、裏機構盤１３１を除いた箇所に中継基板１２１が配置されている。中継基板１２１には、配線ケーブル６６の端部に取り付けられた第１コネクタ１２２が備えられている。中継基板１２１には、電気配線６９の端部に取り付けられた第２コネクタ１２６が設けられている。電気配線７０の端部に取り付けられた第３コネクタ１２７も中継基板１２１に設けられている。電気配線６９，７０および配線ケーブル６６は全て中継基板１２１に集約され、それらの外部回路への接続部として第４コネクタ１２３が設けられている。
【００５０】
本体ベース２０の上端面２０Ｃには、下方へと窪む段部１２４（通過用凹部）が形成されている。配線ケーブル６６は、段部１２４を通って本体ベース２０の後方へと引き出されている。また、ランプ３２〜３４から上部扉３０の後方に引き出された電気配線６９，７０は、本体ベース２０の側端辺（面）を通って後方へと引き出されている。
中継基板１２１は、外枠１０に配置された制御基板２Ａと配線ケーブル１２５を介して接続されており、これによりランプ３２〜３５の制御が行われるようになっている。これらを制御するための制御基板２Ａとの電気的接続が第１〜第４コネクタ１２２，１２６，１２７，１２３によってすっきりまとめられているから、ランプ３２〜３５の取付け等の際に、ランプ３２〜３５と制御基板２Ａとの電気的な接続を容易に外せる。
【００５１】
このように、ランプ３５からの配線ケーブル６６が本体ベース２０の上端面２０Ｃに形成された段部１２４を通って後方へと引き出されているとともに、ランプ３２〜３４からの電気配線６９，７０が本体ベース２０の側方から後方へと引き出されているので、遊技盤２２の交換の際に、これらランプ３２〜３５からの配線が邪魔になることがない。
なお、上述の説明では、段部１２４を設けることとしたが、本体ベース２０の前面と後面とを貫通する貫通孔が形成され、この貫通孔を通って、ランプ３２〜３５からの配線が後方へと引き出されるものであってもよい。なお、段部１２４は、本体ベース２０のうち遊技盤２２が配置される領域から退避する位置であればよい。
【００５２】
次に、裏機構盤１３１について説明する。裏機構盤１３１の中央部の上方には、上部タンク１３４および下部タンク１３５が上下に積層した状態に配置されている。上部タンク１３４には、このパチンコ機１が設置された遊技機島内に設けられた球循環機構（図示せず）からパチンコ球が供給されるようになっている。上部タンク１３４の底面は、中央部に近づくにつれて下がった傾斜面となっており、その最下部には、上部タンク１３４と下部タンク１３５とを連通する連通口１３６が形成されている。これにより、上記球循環機構から上部タンク１３４内に供給されたパチンコ球は、上部タンク１３４の底面中央部の連通口１３６に向けて転動し、この連通口１３６から下部タンク１３５に供給される。
【００５３】
下部タンク１３５の底面は、連通口１３６に対向する位置を最上部とする傾斜面となっており、上部タンク１３４から連通口１３６を介して供給されてくるパチンコ球は、この下部タンク１３５の底面の傾斜によって左右に振り分けられるようになっている。そして、その左右に振り分けられたパチンコ球は、それぞれ下部タンク１３５の底面に形成された図示しない流出口から球整流部１４１，１５１に流入するようになっている。
【００５４】
下部タンク１３５の最上部には、その下方にセンサ収納用のセンサ収納容器１３７が連設されており、下部タンク１３５の下面に形成された図示しない開口を介して、センサ１３８の操作部材１４０が上方に突出するようになっている。センサ１３８には検出器１３９が内蔵されており、操作部材１４０は、上方に突出するように弾性的に付勢されている。センサ１３８からは電気配線１３８Ａが引き出されており、電気配線の端部に設けられた第５コネクタが中継基板１２１につながっている。これにより、センサ１３８からのオンオフ信号が制御基板２Ａに与えられるようになっており、パチンコ球が下部タンク１３５から溢れたときには、玉切れ報知ランプ３２が点灯されるようになっている。
【００５５】
下部タンク１３５の底面は、連通口１３６に対向する位置を最上部とする傾斜面となっているので、上部タンク１３４から連通口１３６を介して供給されてくるパチンコ球は、上部タンク１３４の底面中央部の連通口１３６に向けて転動する。したがって、パチンコ球が通路内に溜まっているときには、パチンコ球の重みによって操作部材１４０が下部タンク１３５内から退避することになる。
図示しない流出口から流出するパチンコ球は、それぞれパチンコ球を一列に整列させるための球整流部１４１，１５１に流入する。球整流部１４１，１５１のパチンコ球流通方向下流側の端部は、それぞれ、球流通管１４２，１５２を介して賞球払出装置１４３および貸球払出装置１５３に接続されている。これにより、球整流部１４１に流入したパチンコ球は、一列に整列して球流通管１４２に流れ込み、この球流通管１４２を通って賞球払出装置１４３に供給される。一方、球整流部１５１に流入したパチンコ球は、一列に整列して球流通管１５２に流れ込み、この球流通管１５２を通って貸球払出装置１５３に供給される。
【００５６】
賞球払出装置１４３および貸球払出装置１５３は、裏機構盤１３１の中央部を隔てて左右に配置されている。賞球払出装置１４３は、遊技盤２２に配置されている入賞口にパチンコ球が入球すると、これに応答して作動し、予め定める個数（たとえば７個または１３個）のパチンコ球を賞球として払い出す。
賞球払出装置１４３から払い出される賞球は、球流通管１４４を通って、裏機構盤１３１の下部に配置された球合流導出部材１６０に流入するようになっている。賞球払出装置１４３から払い出される賞球は、上受け皿排出口４５を通って上受け皿４３に排出されるか、この上皿１１３に排出しきれずに下受け皿排出口４６を通って下受け皿４４に排出される。
【００５７】
一方、貸球払出装置１５３から払い出される貸球は、球流通管１５４を通って、球合流導出部材１６０内の途中部に流入するようになっている。これにより、賞球払出装置１５３から払い出される賞球は、上受け皿排出口４５を通って上受け皿４３に排出されるか、この上皿１１３に排出しきれずに下受け皿排出口４６を通って下受け皿４４に排出される。
以上によりこの発明の実施形態によれば、安価な矩形形状のガラス板５１，５２を用いて円形形状の窓部３１を覆うので、ガラス板を窓部３１の形状に合わせた円形形状とする従来の方式と比較してコストダウンを図れる。
【００５８】
また、簡単な構成で、ガラス板５１，５２を上部扉３０に取り付けることができ、その着脱作業も簡単に行える。
さらにまた、ガラス板５１，５２が上部扉３０の後面３０Ｂ側に積層保持されるので、前方から不正にガラス板５１，５２が取り外されるおそれがない。
なお、上述の説明では、正方形状のガラス板５１，５２を使用する場合について説明したが、長方形状のガラス板を使用することもできる。
【００５９】
また、上部扉３０窓部３１は円形形状として説明したが、楕円形形状であってもよい。この場合に正方形状や長方形状のガラス板５１，５２を用いることができる。さらに、窓部３１が略矩形形状である場合にも、この取付け構造を採用できるのは言うまでもない。
さらにまた、ガラス板５１，５２を使用するものとして説明したが、ガラス板５１，５２でなくたとえばアクリル等の樹脂板を使用することもできる。
【００６０】
さらに、上述の説明では、上下方向に延びる一対のガイド８７，８８を用いて、内ガラス板５２の上方からの挿入、抜取りを行なうものとして説明したが、これに限られず、一対のガイドが左右方向に左右方向に延びていて側方から内ガラス板５２の挿入、抜取りを行えるようにすることもできる。
さらにまた、上述の説明では、板状のスペーサ７１を用いることとしたが、板状以外のスペーサで、内ガラス板収容空間と外ガラス板収容空間とを仕切る構成とすることもできる。
【００６１】
さらに、上述の説明では、取付け板３６〜３９が前面板７２に設けられた構成を例示しているが、ガラスユニットＧを上部扉３０に取り付けるための取付け部がスペーサ７１側に設けられており、このスペーサ７１に前面板７２が取り付けられた構成とすることもできる。
さらにまた、前面板７２を省略することもできる。この場合には、外ガラス板５１をスペーサ７２にしっかり保持できる構成であればよい。
【００６２】
その他、特許請求の範囲に記載された事項の範囲で種々の設計変更を施すことが可能である。
【図面の簡単な説明】
【図１】この発明の一実施形態に係るパチンコ機の正面図である。
【図２】上部扉および下部扉を手前側に開いた状態を示す斜視図である。
【図３】この発明の一実施形態に係るパチンコ機の後面側から見た分解斜視図である。
【図４】パチンコ機を遊技島内に設置した状態を示す概略断面図である。
【図５】ガラス板保持部材の分解斜視図である。
【図６】押付け用金具の構造を示す斜視図である。
【図７】ガラスユニットを上部扉から取り外した状態を示す分解斜視図である。
【図８】パチンコ機の後面構造を簡略化して示す斜視図である。
【符号の説明】
１  パチンコ機
２  基板ボックス
２Ａ  制御基板
１０  外枠（遊技機本体）
１０Ａ  前端面
２０  本体ベース（遊技機本体）
２０Ａ  前面
３０  上部扉（前扉）
３０Ｂ  後面
３１  窓部
５１  外ガラス板（外側透明板）
５２  内ガラス板（内側透明板）
５２ａ，５２ｂ  側端辺
５２ｃ  下端辺
７１  スペーサ
７２  前面板（固定部）
７７  受け部（係止構造）
７８  受け部（係止構造）
７９  受け部（係止構造）
８３  突片（係止構造）
８４  突片（係止構造）
８６  突条
８７，８８  ガイド
９１  ねじ
９８，９９ 開口
１００  押付け用金具（押さえ部材）
１０１  ベース部
１０５  軸
１０６ａ  一端部
１０６ｂ  他端部
１０７  押さえローラ（押さえ部）
１０８ レバー
Ｇ  ガラスユニット（透明板ユニット）
【図１】
0004136279.tif 000002
【図２】
0004136279.tif 000003
【図３】
0004136279.tif 000004
【図４】
0004136279.tif 000005
【図５】
0004136279.tif 000006
【図６】
0004136279.tif 000007
【図７】
0004136279.tif 000008
【図８】
0004136279.tif 000009